(57)【要約】【課題】出入口の開口幅を確保し、かつ、浴槽での入浴スペースを確保することで、入浴者に高い開放感を与えることのできる浴室構造を提供する。【解決手段】浴室構造は、矩形状の外形９に沿って構成された第一の壁１１、出入口２、引戸３、第二の壁１２及び第三の壁１３と、外形９内に設置される浴槽４及び洗い場５を備える。第一の壁１１と第二の壁１２は、外形９の長辺に沿って形成される。出入口２は、第一の壁１１に隣接するように外形９の長辺に沿って形成される。引戸３は、出入口２を開閉する。第三の壁１３は、外形９の短辺に沿って形成される。浴槽４の洗い場５に面する端縁部４５０は、第一の壁１１から第二の壁１２に向けて離れた部分ほど、第三の壁１３から距離を隔てるように、傾斜した形状を有する。【選択図】図２
2017155429.tif 000002
【特許請求の範囲】
【請求項１】
平面視において、第一長辺、第二長辺、第一短辺及び第二短辺を有する矩形状の外形に沿って構成された浴室構造であって、
前記第一長辺の一部に沿って形成される第一の壁と、
前記第一長辺のうち前記一部を除く部分に沿って形成される出入口と、
前記出入口を開閉する引戸と、
前記第二長辺に沿って形成される第二の壁と、
前記第一の壁と前記第二の壁に連続するように、前記第一短辺に沿って形成される第三の壁と、
前記外形の内側に配置される浴槽と、
前記外形の内側に配置される洗い場と、を備え、
前記浴槽は、前記第一の壁と、前記第二の壁の少なくとも一部と、前記第三の壁と、前記洗い場とに、それぞれ隣接して位置し、
前記浴槽の前記洗い場に面する端縁部は、前記第一の壁から前記第二の壁に向けて離れた部分ほど、前記第三の壁から距離を隔てた形状を有する
ことを特徴とする浴室構造。
【請求項２】
前記引戸は、互いに連結された第一扉と第二扉を備え、
前記出入口を開放したときに、前記第一扉と前記第二扉が、前記第一の壁の外側に位置するように構成された
ことを特徴とする請求項１に記載の浴室構造。
【請求項３】
前記浴槽は、湯水を溜めるための凹所を有し、
前記凹所は、平面視において、前記第三の壁に対して傾いて位置する対称軸を基準として、左右対称な形状を有する
ことを特徴とする請求項２に記載の浴室構造。
【請求項４】
前記第一の壁は、前記浴槽よりも上方の部分を構成する透明パネルを含み、
前記第一扉と前記第二扉は、ともに透明パネルで構成された扉である
ことを特徴とする請求項２または３に記載の浴室構造。
【発明の詳細な説明】
【技術分野】
【０００１】
本発明は、浴室構造に関し、詳しくは、矩形状の外形に沿って壁等が構成され、該外形の内側に浴槽と洗い場を備える浴室構造に関する。
【背景技術】
【０００２】
特許文献１には、浴室ユニットが記載されている。
【０００３】
この浴室ユニットは、平面視矩形状の外形に沿って構成された浴室壁パネルを備え、該浴室壁パネルで浴槽と洗い場を囲んだ構造である。
【０００４】
浴室壁パネルは出入口を有し、該出入口に設けられたドアを開くことで、洗面室から洗い場に出入り自在である。
【先行技術文献】
【特許文献】
【０００５】
【特許文献１】特開２００８−１２７９２４号公報
【発明の概要】
【発明が解決しようとする課題】
【０００６】
上記した従来の浴室構造は、浴槽と洗い場が、ともに平面視矩形状の外形で構成されている。
【０００７】
したがって、出入口の開口幅を確保することと、浴槽での入浴スペースを確保することが両立されにくい場合があった。
【０００８】
本発明は、出入口の開口幅を確保し、かつ、浴槽での入浴スペースを確保することで、入浴者に高い開放感を与えることのできる浴室構造を提供することを、目的とする。
【課題を解決するための手段】
【０００９】
本発明に係る一態様の浴室構造は、平面視において、第一長辺、第二長辺、第一短辺及び第二短辺を有する矩形状の外形に沿って構成された浴室構造である。
【００１０】
一態様の浴室構造は、第一の壁と、出入口と、引戸と、第二の壁と、第三の壁と、浴槽と、洗い場とを備える。
【００１１】
前記第一の壁は、前記第一長辺の一部に沿って形成される。
【００１２】
前記出入口は、前記第一長辺のうち前記一部を除く部分に沿って形成される。
【００１３】
前記引戸は、前記出入口を開閉する。
【００１４】
前記第二の壁は、前記第二長辺に沿って形成される。
【００１５】
前記第三の壁は、前記第一の壁と前記第二の壁に連続するように、前記第一短辺に沿って形成される。
【００１６】
前記浴槽と前記洗い場は、前記外形の内側に配置される。
【００１７】
前記浴槽は、前記第一の壁と、前記第二の壁の少なくとも一部と、前記第三の壁と、前記洗い場とに、それぞれ隣接して位置する。
【００１８】
前記浴槽の前記洗い場に面する端縁部は、前記第一の壁から前記第二の壁に向けて離れた部分ほど、前記第三の壁から距離を隔てた形状を有する。
【発明の効果】
【００１９】
本発明の浴室構造は、出入口の開口幅を確保し、かつ、浴槽での入浴スペースを確保することで、入浴者に高い開放感を与えることができるという効果を奏する。
【図面の簡単な説明】
【００２０】
【図１】図１は、実施形態１の浴室構造の、引戸を閉じた状態の斜視図である。
【図２】図２は、同上の浴室構造の、引戸を閉じた状態の平断面図である。
【図３】図３は、同上の浴室構造が備える浴槽の斜視図である。
【図４】図４は、同上の浴室構造の、引戸を開いた状態の斜視図である。
【図５】図５は、同上の浴室構造の、引戸を開いた状態の平断面図である。
【発明を実施するための形態】
【００２１】
実施形態１の浴室構造について、図１〜図５に基づいて説明する。
【００２２】
本実施形態の浴室構造は、図２等に示すように、平面視において矩形状の外形９に沿って構成される。
【００２３】
矩形状の外形９は、第一長辺９６１、第二長辺９６２、第一短辺９８１及び第二短辺９８２を有する。
【００２４】
第一長辺９６１と第二長辺９６２が対をなし、互いに平行である。第一短辺９８１と第二短辺９８２が対をなし、互いに平行である。
【００２５】
本実施形態の浴室構造は、外形９に沿って設けられた浴室壁１と、浴室壁１に形成された出入口２と、出入口２を開閉する引戸３と、浴室壁１に囲まれた浴室空間Ｓ１内に設置される浴槽４及び洗い場５と、浴室壁１で支持される天井部６を備える。
【００２６】
まず、浴室壁１について説明する。
【００２７】
浴室壁１は、第一の壁１１、第二の壁１２、第三の壁１３及び第四の壁１４を有する。
【００２８】
第一の壁１１は、矩形状の外形９のうち、第一長辺９６１の一部に沿って形成される。
【００２９】
具体的には、第一長辺９６１を三分割したときの端側の一辺に沿って、第一の壁１１が形成される。ここでの三分割は、厳密に三等分されることに限定されない。
【００３０】
出入口２は、第一長辺９６１のうち前記一部（第一の壁１１が形成される部分）を除いた部分に沿って、形成される。
【００３１】
つまり、第一長辺９６１の約１／３の部分に沿って第一の壁１１が形成され、残りの約２／３の部分に沿って出入口２が形成される。
【００３２】
出入口２は、引戸３によって開閉される。引戸３については後述する。
【００３３】
出入口２に隣接して位置する第一の壁１１は、透明に形成された透明パネル１１５と、これを囲む枠材１１６と、非透明パネル１１７を備える。本明細書で用いる透明の文言は、完全に透明な場合に限らず、一定の透明性を有していれば足りる。
【００３４】
透明パネル１１５と枠材１１６は、非透明パネル１１７の上方に位置する。第一の壁１１の下部が非透明パネル１１７で形成され、非透明パネル１１７よりも上方の部分が、枠材１１６に囲まれた透明パネル１１５で形成される。枠材１１６に囲まれた透明パネル１１５は、第一の壁１１のうち浴槽４よりも上方の部分を構成する。
【００３５】
第二の壁１２は、外形９のうち第二長辺９６２の全体に沿って形成される。第二の壁１２は、第一の壁１１と平行に位置する。
【００３６】
第三の壁１３は、外形９のうち第一短辺９８１の全体に沿って形成される。
【００３７】
第三の壁１３は、第一の壁１１と第二の壁１２に対して、それぞれ平面視Ｌ字状に直交する。
【００３８】
平面視において、第三の壁１３の一端部に第一の壁１１が連続し、第三の壁１３の他端部に第二の壁１２が連続する。
【００３９】
第四の壁１４は、矩形状の外形９のうち、第二短辺９８２の一部に沿って形成される。
【００４０】
具体的には、第二短辺９８２を二分割したときの一方の辺に沿って、第四の壁１４が形成され、他方の辺に沿って開口部７１が形成される。
【００４１】
第四の壁１４は、第二の壁１２に対して、平面視においてＬ字状に直交する。第四の壁１４は、透明パネル１４５とこれを囲む枠材１４６で構成されている。開口部７１は、戸７２によって開閉される。戸７２は、透明パネル７２５とこれを囲む枠材７２６で構成された引戸である。
【００４２】
本実施形態では、第四の壁１４と戸７２がともに透明パネル１４５，７２５で構成されるが、第四の壁１４と戸７２の両方または一方が非透明なパネルで構成されてもよい。また、第四の壁１４が第二短辺９８２の全体に亘って形成されてもよい。
【００４３】
次に、引戸３について説明する。
【００４４】
引戸３は、連動してスライド移動するように連結された第一扉３１と第二扉３２を備える。
【００４５】
第一扉３１は、透明パネル３１５とこれを囲む枠材３１６で構成された扉である。第二扉３２は、透明パネル３２５とこれを囲む枠材３２６で構成された扉である。
【００４６】
図１、図２に示すように、第一扉３１と第二扉３２が互いの側端部同士を重ねた状態において、第一扉３１と第二扉３２によって出入口２が閉じられる。
【００４７】
図４、図５に示すように、第一扉３１の全体と第二扉３２の全体がともに第一の壁１１に重なった状態が、出入口２の全開状態である。このとき、第一扉３１と第二扉３２は、第一の壁１１の外側に位置する。
【００４８】
出入口２の全開状態において、第一の壁１１が備える透明パネル１１５と、第一扉３１が備える透明パネル３１５と、第二扉３２が備える透明パネル３２５とが、厚み方向に重なって位置する。
【００４９】
本実施形態の第一扉３１と第二扉３２はともに、出入口２の全開状態において、第一の壁１１よりも出入口２側に突出しないように構成されているが、第一扉３１と第二扉３２の少なくとも一方が、出入口２側に多少突出しても構わない。
【００５０】
次に、浴室空間Ｓ１に設置される浴槽４と洗い場５について説明する。
【００５１】
平面視矩形状の浴室空間Ｓ１は、浴槽４と洗い場５に区分される。浴槽４と洗い場５を区分する境界線８は、第一の壁１１と第二の壁１２をつなぐように形成される（図２、図５参照）。
【００５２】
浴室空間Ｓ１のうち、境界線８よりも第三の壁１３に近い側（第一短辺９８１に近い側）の領域が、浴槽４の配置される領域である。浴室空間Ｓ１のうち、境界線８よりも第四の壁１４に近い側（第二短辺９８２に近い側）の領域が、洗い場５の配置される領域である。
【００５３】
境界線８は、第四の壁１４にむけて（第二短辺９８２にむけて）膨らんだ円弧状の形状を有する。境界線８の形状は、第一の壁１１から第二の壁１２に向けて離れた位置ほど、第三の壁１３からの距離が大きくなる形状（以下、これを「傾斜形状」という。）である。
【００５４】
本実施形態の境界線８は、その全体に亘って前記傾斜形状を有しているが、境界線８の一部が前記傾斜形状を有さないことも有り得る。
【００５５】
つまり、境界線８の一部（たとえば境界線８のうち第二壁１２に近接した領域の部分等）が、第三の壁１３と平行な形状や、前記傾斜形状とは逆向きに傾斜した形状を有することも可能である。逆向きに傾斜した形状とは、第一の壁１１から第二の壁１２に向けて離れた位置ほど、第三の壁１３からの距離が小さくなる形状である。
【００５６】
浴槽４についてさらに説明する。
【００５７】
平面視において浴槽４は、第一の壁１１と、第三の壁１３と、第二の壁１２うち第三の壁１３に近い側の部分１２６とに、それぞれ隣接（当接）して位置する。浴槽４は、さらに洗い場５に隣接して位置する。
【００５８】
なお、本実施形態の浴槽４は、平面視において第二の壁１２の一部（部分１２６）に隣接しているが、第二の壁１２の全部に隣接する構造も採用可能である。
【００５９】
浴槽４の第一の壁１１に当接する端縁部４５１と、第二の壁１２に当接する端縁部４５２と、第三の壁１３に当接する端縁部４５３は、ともに平面視一直線状に形成される。
【００６０】
端縁部４５１と端縁部４５２は、互いに平行である。平面視において、端縁部４５２は端縁部４５１よりも長く、たとえば端縁部４５１の長さの１．６倍程度である。
【００６１】
端縁部４５３は、端縁部４５１と端縁部４５２に対してともに直交して位置する。平面視において、端縁部４５３は端縁部４５１よりも長く、さらに端縁部４５２よりも長い。
【００６２】
浴槽４の洗い場５に面する端縁部４５０は、境界線８に沿って平面視円弧状に形成される。つまり、浴槽４の端縁部４５０は、前記傾斜形状（つまり、第一の壁１１から第二の壁１２に向けて離れた位置ほど、第三の壁１３からの距離が大きくなる形状）を有する。
【００６３】
浴槽４の端縁部４５０においても、その一部が前記傾斜形状を有さないことが有り得る。
【００６４】
つまり、端縁部４５０の一部（たとえば端縁部４５０のうち第二壁１２に近接した領域の部分等）が、第三の壁１３と平行な形状や、前記傾斜形状とは逆向きに傾斜した形状を有することも可能である。
【００６５】
浴槽４は、湯水を溜めることのできる凹所４２を有する。凹所４２は、平面視において、所定の対称軸４００を基準として左右対称な形状を有する。凹所４２の形状は、対称軸４００を長軸とした楕円形状である。左右対称の形状は、厳密な意味で左右対称な形状に限定されず、略左右対称な場合を含む。また、楕円形状は、厳密な意味での楕円形状に限らず、略楕円状の形状を含む。
【００６６】
対称軸４００は、平面視において第三の壁１３（第一短辺９８１）から僅かに傾いて位置する。
【００６７】
対称軸４００の第三の壁１３に対する傾きは、第一の壁１１から第二の壁１２に向けて離れるほどに第三の壁１３からの距離が大きくなる傾きである。この傾きは、本実施形態では１０°程度であるが、たとえば５〜３０°の範囲内で設定することも可能である。
【００６８】
洗い場５についてさらに説明する。
【００６９】
平面視において洗い場５は、出入口２と、第四の壁１４と、第二の壁１２うち第四の壁１４に近い側の部分１２８とに、それぞれ隣接して位置する。
【００７０】
第二の壁１２のうち、浴槽４に隣接する部分１２６は、洗い場５に隣接する部分１２８よりも大面積である。第二の壁１２の部分１２８にシャワー装置５１が設置される。
【００７１】
以上、添付図面に基づいて説明したように、本実施形態の浴室構造は、第１の特徴として、下記の構成を具備する。
【００７２】
本実施形態の浴室構造は、平面視において、第一長辺９６１、第二長辺９６２、第一短辺９８１及び第二短辺９８２を有する矩形状の外形９に沿って構成された浴室構造である。
【００７３】
本実施形態の浴室構造は、第一の壁１１、出入口２、引戸３、第二の壁１２、第三の壁１３、浴槽４及び洗い場５を備える。
【００７４】
第一の壁１１は、第一長辺９６１の一部に沿って形成される。出入口２は、第一長辺９６１のうち前記一部を除く部分に沿って形成される。引戸３は、出入口２を開閉する。第二の壁１２は、第二長辺９６２に沿って形成される。第三の壁１３は、第一の壁１１と第二の壁１２に連続するように、第一短辺９８１に沿って形成される。浴槽４と洗い場５は、外形９の内側に配置される。
【００７５】
浴槽４は、第一の壁１１と、第二の壁１２の少なくとも一部と、第三の壁１３と、洗い場５とに、それぞれ隣接して位置する。
【００７６】
浴槽４の洗い場５に面する端縁部４５０は、前記傾斜形状（第一の壁１１から第二の壁１２に向けて離れた部分ほど、第三の壁１３から距離を隔てた形状）を有する。
【００７７】
本実施形態の浴室構造によれば、出入口２が外形９の長辺側に沿って形成され、かつ、浴槽４の端縁部４５０が前記傾斜形状を有するので、出入口２の開口幅を大きく確保することと、限られた浴室空間Ｓ１内にできるだけ大きな浴槽４を設置することが可能になる。そのため、入浴者が洗い場５に出入りする際の解放感と、浴槽４で入浴する際の解放感を、ともに高めることができるという利点がある。加えて、車椅子やストレッチャーでも出入口２を通じて洗い場５に容易に出入することができるという利点がある。
【００７８】
また、本実施形態の浴室構造は、第２の特徴として、下記の構成を付加的に具備する。
【００７９】
本実施形態の浴室構造において、引戸３は、互いに連結された第一扉３１と第二扉３２を備え、出入口２を開放したときに、第一扉３１と第二扉３２が、第一の壁１１の外側に位置するように構成されている。
【００８０】
したがって、本実施形態の浴室構造によれば、出入口２を全開にしたときには、第一扉３１と第二扉３２が第一の壁１１の外側にコンパクトに収まるので、出入口２の開口幅が確保されやすいという利点がある。
【００８１】
また、本実施形態の浴室構造は、第３の特徴として、下記の構成を付加的に具備する。
【００８２】
本実施形態の浴室構造において、浴槽４は、湯水を溜めるための凹所４２を有する。凹所４２は、平面視において、第三の壁１３に対して傾いて位置する対称軸４００を基準として、左右対称な形状を有する。
【００８３】
したがって、本実施形態の浴室構造によれば、湯水を溜める凹所４２を大きく設けることができ、かつ、凹所４２は左右対称な形状であるから入浴者は違和感を覚えにくく、リラックスして入浴することができるという利点がある。
【００８４】
また、本実施形態の浴室構造は、第４の特徴として、下記の構成を付加的に具備する。
【００８５】
本実施形態の浴室構造において、第一の壁１１は、浴槽４よりも上方の部分を構成する透明パネル１１５を含む。第一扉３１と第二扉３２は、ともに透明パネル３１５，３２５で構成された扉である。
【００８６】
したがって、本実施形態の浴室構造によれば、引戸３で出入口２を閉じた状態で、第一の壁１１の透明パネル１１５と、第一扉３１の透明パネル３１５と、第二扉３２の透明パネル３２５を通じて、浴室空間Ｓ１から外部空間（脱衣室等）が広く視認される。出入口２を開いた状態では、出入口２を通じて外部空間が視認可能であることは勿論のこと、厚み方向に重なる透明パネル１１５，３１５，３２５を通じても外部空間が広く視認される。これにより、入浴者にとっての解放感がより高められる。
【００８７】
以上、実施形態について説明したが、浴室構造は前記した実施形態に限定されず、適宜の設計変更を行うことが可能である。
【符号の説明】
【００８８】
２      出入口
３      引戸
４      浴槽
５      洗い場
９      外形
１１    第一の壁
１２    第二の壁
１３    第三の壁
１４    第四の壁
３１    第一扉
３２    第二扉
４２    凹所
１１５  透明パネル
３１５  透明パネル
３２５  透明パネル
４００  対称軸
４５０  端縁部
９６１  第一長辺
９６２  第二長辺
９８１  第一短辺
９８２  第二短辺
【図１】
2017155429.tif 000003
【図２】
2017155429.tif 000004
【図３】
2017155429.tif 000005
【図４】
2017155429.tif 000006
【図５】
2017155429.tif 000007